(57)【要約】【課題】臨場感のあるＡＶシステムを構築する。【解決手段】光ディスクＭａの内周側の第１の領域である第１セッションＰ１にＰＣＭオーディオデータが記録され、外周側の第２の領域である第２セッションＰ２に生体情報が記録される。生体情報は、演奏者、演技者、観客等の生体情報である。光ディスクに記録されているＡＶ情報と生体情報とは、時間的に同期したものとされている。各セッションからＰＣＭオーディオデータと生体情報とが再生される。再生ＰＣＭオーディオ信号のテンポ、レベル等が生体情報によって制御される。それによって、制御されたＰＣＭオーディオ信号を聴く者は、生の迫力を感じることができる。【選択図】  図１
2004227638.tif 000002
【特許請求の範囲】
【請求項１】
オーディオ情報および映像情報の少なくとも一方のデータが記録されている第１の領域と、上記データに関連する生体情報が記録されている第２の領域とを有するデータ記録媒体。
【請求項２】
請求項１において、
上記オーディオ情報は、リニアＰＣＭデータ、圧縮オーディオデータおよび１ビットディジタルオーディオの何れかであるデータ記録媒体。
【請求項３】
請求項１において、
上記映像情報は、ディジタルビデオであるデータ記録媒体。
【請求項４】
請求項３において、
上記ディジタルビデオは、圧縮符号化されているデータ記録媒体。
【請求項５】
請求項１において、
上記データと上記生体情報とが時間的に同期しているデータ記録媒体。
【請求項６】
請求項１において、
上記生体情報は、体動、生化学反応、脳波、脳磁図、筋電、体表温度、皮膚の発汗、皮膚抵抗、脈、呼吸、マイクロバイブレーション、心電、心拍、血圧の中の少なくとも一つであるデータ記録媒体。
【請求項７】
請求項１において、
上記生体情報は、上記オーディオ情報および映像情報の少なくとも一方を演ずる人または人々の生体情報であるデータ記録媒体。
【請求項８】
請求項１において、
上記生体情報は、上記オーディオ情報および映像情報の少なくとも一方を視聴する人または人々の生体情報であるデータ記録媒体。
【請求項９】
請求項１において、
上記生体情報は、上記データに作用させられるように、加工されているデータ記録媒体。
【請求項１０】
請求項１において、
上記生体情報は、生体信号のピーク位置、ピーク間隔、ピークレベル、または変動値の少なくとも一つであるデータ記録媒体。
【請求項１１】
請求項１において、
上記データ記録媒体は、磁気テープ、光ディスク、磁気ディスク、半導体メモリ、有機化合物メモリ、光カードまたは磁気カードであるデータ記録媒体。
【請求項１２】
請求項１において、
上記第１の領域および第２の領域は、内周部と外周部、第１層と第２層、前半部と後半部、および第１のファイルと第２のファイルの何れかの一方および他方であるデータ記録媒体。
【請求項１３】
オーディオ情報および映像情報の少なくとも一方のデータを第１の領域に記録し、上記データに関連する生体情報を第２の領域に記録するデータ記録方法。
【請求項１４】
オーディオ情報および映像情報の少なくとも一方のデータを第１の領域に記録し、上記データに関連する生体情報を第２の領域に記録するデータ記録装置。
【請求項１５】
オーディオ情報および映像情報の少なくとも一方のデータが記録されている第１の領域と、上記データに関連する生体情報が記録されている第２の領域とを有するデータ記録媒体を再生するデータ再生方法であって、
上記第１の領域に記録されているデータを再生すると共に、上記第２の領域に記録されている上記生体情報を、音、映像および振動の何れかによって再生するデータ再生方法。
【請求項１６】
オーディオ情報および映像情報の少なくとも一方のデータが記録されている第１の領域と、上記データに関連する生体情報が記録されている第２の領域とを有するデータ記録媒体を再生するデータ再生方法であって、
上記第１の領域に記録されているデータを、上記第２の領域に記録されている上記生体情報によって制御して再生するデータ再生方法。
【請求項１７】
オーディオ情報および映像情報の少なくとも一方のデータが記録されている第１の領域と、上記データに関連する生体情報が記録されている第２の領域とを有するデータ記録媒体を再生するデータ再生装置であって、
上記第１の領域に記録されているデータを再生すると共に、上記第２の領域に記録されている上記生体情報を、音、映像および振動の何れかによって再生するデータ再生装置。
【請求項１８】
オーディオ情報および映像情報の少なくとも一方のデータが記録されている第１の領域と、上記データに関連する生体情報が記録されている第２の領域とを有するデータ記録媒体を再生するデータ再生装置であって、
上記第１の領域に記録されているデータを、上記第２の領域に記録されている上記生体情報によって制御して再生するデータ再生装置。
【請求項１９】
オーディオ情報および映像情報の少なくとも一方のデータを所定区間で区分すると共に、区分された上記データおよび上記所定区間に対応する生体情報を合わせてブロック化して伝送するデータ伝送方法。
【請求項２０】
請求項１９において、
上記所定区間は、フレーム単位、ブロック単位、セクタ単位または所定時間単位であるデータ伝送方法。
【請求項２１】
請求項１９において、
上記ブロック化は、パケット化、フレーム化またはセクタ化であるデータ伝送方法。
【請求項２２】
請求項１９において、
上記オーディオ情報は、リニアＰＣＭデータ、圧縮オーディオデータおよび１ビットディジタルオーディオの何れかであるデータ伝送方法。
【請求項２３】
請求項１９において、
上記映像情報は、ディジタルビデオであるデータ伝送方法。
【請求項２４】
請求項２３において、
上記ディジタルビデオは、圧縮符号化されているデータ伝送方法。
【請求項２５】
請求項１９において、
上記生体情報は、体動、生化学反応、脳波、脳磁図、筋電、体表温度、皮膚の発汗、皮膚抵抗、脈、呼吸、マイクロバイブレーション、心電、心拍、血圧の中の少なくとも一つであるデータ伝送方法。
【請求項２６】
請求項１９において、
上記生体情報は、上記オーディオ情報および映像情報の少なくとも一方を演ずる人または人々の生体情報であるデータ伝送方法。
【請求項２７】
請求項１９において、
上記生体情報は、上記オーディオ情報および映像情報の少なくとも一方を視聴する人または人々の生体情報であるデータ伝送方法。
【請求項２８】
請求項１９において、
上記生体情報は、上記データに作用させられるように、加工されているデータ伝送方法。
【請求項２９】
請求項１９において、
上記生体情報は、生体信号のピーク位置、ピーク間隔、ピークレベル、または変動値の少なくとも一つであるデータ伝送方法。
【請求項３０】
オーディオ情報および映像情報の少なくとも一方のデータを所定区間で区分すると共に、区分された上記データおよび上記所定区間に対応する生体情報を合わせてブロック化して伝送するデータ伝送装置。
【請求項３１】
オーディオ情報および映像情報の少なくとも一方のデータを所定区間で区分すると共に、区分された上記データおよび上記所定区間に対応する生体情報を合わせてブロック化して記録するデータ記録方法。
【請求項３２】
オーディオ情報および映像情報の少なくとも一方のデータを所定区間で区分すると共に、区分された上記データおよび上記所定区間に対応する生体情報を合わせてブロック化して記録するデータ記録装置。
【請求項３３】
オーディオ情報および映像情報の少なくとも一方のデータを所定区間で区分すると共に、区分された上記データおよび上記所定区間に対応する生体情報が合わせてブロック化されて記録されているデータ記録媒体。
【請求項３４】
オーディオ情報および映像情報の少なくとも一方のデータと生体情報とで構成されるブロックを受信し、
上記データを再生すると共に、上記生体情報を、音、映像および振動の何れかによって再生するデータ再生方法。
【請求項３５】
オーディオ情報および映像情報の少なくとも一方のデータと生体情報とで構成されるブロックを受信し、
上記データを、上記生体情報によって制御して再生するデータ再生方法。
【請求項３６】
オーディオ情報および映像情報の少なくとも一方のデータを所定区間で区分すると共に、区分された上記データおよび上記所定区間に対応する生体情報が合わせてブロック化されて記録されているデータ記録媒体を再生するデータ再生方法であって、
上記データを再生すると共に、上記生体情報を、音、映像および振動の何れかによって再生するデータ再生方法。
【請求項３７】
オーディオ情報および映像情報の少なくとも一方のデータを所定区間で区分すると共に、区分された上記データおよび上記所定区間に対応する生体情報が合わせてブロック化されて記録されているデータ記録媒体を再生するデータ再生方法であって、
上記データを、上記生体情報によって制御して再生するデータ再生方法。
【請求項３８】
オーディオ情報および映像情報の少なくとも一方のデータと生体情報とで構成されるブロックを受信し、
上記データを再生すると共に、上記生体情報を、音、映像および振動の何れかによって再生するデータ再生装置。
【請求項３９】
オーディオ情報および映像情報の少なくとも一方のデータと生体情報とで構成されるブロックを受信し、
上記データを、上記生体情報によって制御して再生するデータ再生装置。
【請求項４０】
オーディオ情報および映像情報の少なくとも一方のデータを所定区間で区分すると共に、区分された上記データおよび上記所定区間に対応する生体情報が合わせてブロック化されて記録されているデータ記録媒体を再生するデータ再生装置であって、
上記データを再生すると共に、上記生体情報を、音、映像および振動の何れかによって再生するデータ再生装置。
【請求項４１】
オーディオ情報および映像情報の少なくとも一方のデータを所定区間で区分すると共に、区分された上記データおよび上記所定区間に対応する生体情報が合わせてブロック化されて記録されているデータ記録媒体を再生するデータ再生装置であって、
上記データを、上記生体情報によって制御して再生するデータ再生装置。
【発明の詳細な説明】
【０００１】
【発明の属する技術分野】
この発明は、オーディオ情報および映像情報の少なくとも一方のデータを記録、送信、再生するのに適用されるデータ記録媒体、データ記録方法および装置、データ再生方法および装置並びにデータ伝送方法および装置に関する。
【０００２】
【従来の技術】
従来からＣＤ（Ｃｏｍｐａｃｔ  Ｄｉｓｃ）  、ＤＶＤ（Ｄｉｇｉｔａｌ  Ｖｅｒｓａｔｉｌｅ  Ｄｉｓｃ）ビデオ等のパーケージメディアが知られており、コンサートの収録盤が頒布されている。そのようなメディアを再生すると、観客の拍手が録音されていて、ある程度会場の雰囲気を視聴者が知ることが可能である。
【０００３】
従来、人間の生体のリズムである１／ｆのゆらぎを元の音楽に対して付加することで、聴き心地の良い音楽に変更する演奏制御装置が提案されている。例えば人間の生体の状況および体調等が刻々変化していることを考慮して、聴取者の日々の生体状態に合ったゆらぎ制御信号を生成し、ゆらぎ制御信号に基づいてオーディオプログラムの演奏テンポを編集する技術が下記の特許文献１に説明されている。
【０００４】
【特許文献１】
特開平１０−７９１３０号公報
【０００５】
【発明が解決しようとする課題】
特許文献１に記載のものは、聴取者の健康に関する生体情報を利用して音楽の演奏テンポを制御するもので、聴き心地の良い音楽再生が可能となっても、演奏者や、演技者の生体情報が入っておらず、視聴者に生の迫力を感じさせることはできなかった。
【０００６】
したがって、この発明の目的は、オーディオ情報、映像情報と共に、演奏者、演技者、観客の実際の演奏や演技の際の息使いや興奮度などの生の迫力を伝えることが可能なデータ記録媒体、データ記録方法および装置、データ再生方法および装置並びにデータ伝送方法および装置を提供することにある。
【０００７】
【課題を解決するための手段】
上述した課題を解決するために、請求項１の発明は、オーディオ情報および映像情報の少なくとも一方のデータが記録されている第１の領域と、データに関連する生体情報が記録されている第２の領域とを有するデータ記録媒体である。
【０００８】
請求項１３および１４の発明は、オーディオ情報および映像情報の少なくとも一方のデータを第１の領域に記録し、データに関連する生体情報を第２の領域に記録するデータ記録方法および装置である。
【０００９】
請求項１５および１７の発明は、オーディオ情報および映像情報の少なくとも一方のデータが記録されている第１の領域と、データに関連する生体情報が記録されている第２の領域とを有するデータ記録媒体を再生するデータ再生方法および装置であって、
第１の領域に記録されているデータを再生すると共に、第２の領域に記録されている生体情報を、音、映像および振動の何れかによって再生するデータ再生方法および装置である。
【００１０】
請求項１６および１８の発明は、オーディオ情報および映像情報の少なくとも一方のデータが記録されている第１の領域と、データに関連する生体情報が記録されている第２の領域とを有するデータ記録媒体を再生するデータ再生方法および装置であって、
第１の領域に記録されているデータを、第２の領域に記録されている生体情報によって制御して再生するデータ再生方法および装置である。
【００１１】
請求項１９および３０の発明は、オーディオ情報および映像情報の少なくとも一方のデータを所定区間で区分すると共に、区分されたデータおよび所定区間に対応する生体情報を合わせてブロック化して伝送するデータ伝送方法および装置である。
【００１２】
請求項３１および３２の発明は、オーディオ情報および映像情報の少なくとも一方のデータを所定区間で区分すると共に、区分されたデータおよび所定区間に対応する生体情報を合わせてブロック化して記録するデータ記録方法および装置である。
【００１３】
請求項３３の発明は、オーディオ情報および映像情報の少なくとも一方のデータを所定区間で区分すると共に、区分されたデータおよび所定区間に対応する生体情報が合わせてブロック化されて記録されているデータ記録媒体である。
【００１４】
請求項３４および３８の発明は、オーディオ情報および映像情報の少なくとも一方のデータと生体情報とで構成されるブロックを受信し、
データを再生すると共に、生体情報を、音、映像および振動の何れかによって再生するデータ再生方法および装置である。
【００１５】
請求項３５および３９の発明は、オーディオ情報および映像情報の少なくとも一方のデータと生体情報とで構成されるブロックを受信し、
データを、生体情報によって制御して再生するデータ再生方法および装置である。
【００１６】
請求項３６および４０の発明は、オーディオ情報および映像情報の少なくとも一方のデータを所定区間で区分すると共に、区分されたデータおよび所定区間に対応する生体情報が合わせてブロック化されて記録されているデータ記録媒体を再生するデータ再生方法および装置であって、
データを再生すると共に、生体情報を、音、映像および振動の何れかによって再生するデータ再生方法および装置である。
【００１７】
請求項３７および４１の発明は、オーディオ情報および映像情報の少なくとも一方のデータを所定区間で区分すると共に、区分されたデータおよび所定区間に対応する生体情報が合わせてブロック化されて記録されているデータ記録媒体を再生するデータ再生方法および装置であって、
データを、生体情報によって制御して再生するデータ再生方法および装置である。
【００１８】
この発明では、オーディオ情報および映像情報の少なくとも一方のデータと、演奏者、演技者、観客の生体情報とを記録または送信し、再生または受信したデータを再生する時に、生体情報を利用することによって、視聴者に対して生の迫力を伝えることができ、オーディオ情報および映像情報の少なくとも一方のデータの再生を臨場感に富んだものとできる。
【００１９】
【発明の実施の形態】
以下、この発明の一実施形態について説明する。図１は、この発明が適用されたデータ記録媒体の複数の例を示す。図１Ａにおいて参照符号Ｍａは、この発明が適用されたＣＤフォーマットの光ディスクの例を示す。内周側の第１の領域である第１セッションＰ１にＰＣＭオーディオデータが記録され、外周側の第２の領域である第２セッションＰ２に生体情報が記録される。各セッションは、リードインエリアとプログラムエリアとリードアウトエリアとが内周側から外周側に向かって順に設けられたものである。記録されるデータは、ＣＤフォーマットの規格に準拠したものであり、例えばＣＤ−ＥＸＴＲＡのフォーマットのものである。
【００２０】
図１Ｂにおいて参照符号Ｍｂは、この発明が適用されたＣＤ−ＲＯＭフォーマットの光ディスクの例を示す。外周側のセッションＰ１１に圧縮ＡＶ情報が記録され、内周側のセッションＰ１２に生体情報が記録される。圧縮ＡＶ情報は、例えばＭＰＥＧ２（Ｍｏｖｉｎｇ  Ｐｉｃｔｕｒｅ  Ｅｘｐｅｒｔｓ  Ｇｒｏｕｐ  Ｐｈａｓｅ  ２）で圧縮され、オーディオ情報は、ＡＴＲＡＣ（Ａｄａｐｔｉｖｅ  Ｔｒａｎｓｆｅｒ  Ａｃｏｕｓｔｉｃ  Ｃｏｄｉｎｇ）  、ＭＰ３（ＭＰＥＧ１  Ａｕｄｉｏ  Ｌａｙｅｒ  ＩＩＩ）  等で圧縮される。記録されるデータは、ＣＤ−ＲＯＭフォーマットの規格（通称”Ｙｅｌｌｏｗ  Ｂｏｏｋ”）に準拠したものである。また、オーディオデータは、レベルの大小を疎密で表す１ビットディジタルオーディオ信号であっても良い。
【００２１】
図１Ｃにおいて参照符号Ｍｃは、この発明が適用されたＤＶＤの例を示す。内周側のセッションにＭＰＥＧ２で圧縮されたビデオデータおよびＡＣ−３で圧縮されたオーディオデータが記録され、外周側のセッションに生体情報のデータが記録される。記録されるデータは、ＤＶＤフォーマットの規格に準拠したものである。
【００２２】
図１Ｄにおいて参照符号Ｍｄは、この発明が適用された片面読み取り方式または両面読み取り方式の２層ＤＶＤの例を示す。記録層Ｌ１にＭＰＥＧ２で圧縮されたビデオデータおよびＡＣ−３で圧縮されたオーディオデータが記録され、記録層Ｌ２に生体情報のデータが記録される。各記録層に記録されるデータは、ＤＶＤフォーマットの規格に準拠したものである。
【００２３】
図１Ｅにおいて参照符号Ｍｅは、この発明が適用された光カードの例を示す。光カードの第１の記録エリアＲ１に対してＡＶ情報が記録され、第２の記録エリアに生体情報のデータが記録される。記録エリアに記録されるＡＶ情報は、必要に応じて圧縮されたものである。
【００２４】
図１Ｆにおいて参照符号Ｍｆは、この発明が適用されたハードディスクドライブの例を示す。ハードディスクドライブに記録される第１のファイルＦ１としてＡＶ情報が記録され、第２のファイルＦ２に生体情報のデータが記録される。ファイルＦ１に記録されるＡＶ情報は、必要に応じて圧縮されたものである。映像情報の圧縮方式としては、ＭＰＥＧ２以外の方式例えば家庭用ディジタルＶＴＲで採用されているＤＶ（Ｄｉｇｉｔａｌ  Ｖｉｄｅｏ）を使用しても良い。ハードディスクドライブＭｆの場合は、図１Ａ〜図１Ｅに示すデータ記録媒体が物理的領域分割を行っているのに対して論理的領域分割を行っている。
【００２５】
生体情報は、オーディオデータの場合には、一人または複数の演奏者（歌手、楽器の演奏者等）、または演奏会場の観客等の視聴者の生体情報である。映像情報の場合には、演技者の生体情報または記録される映像情報を見ている視聴者の生体情報である。これらの人を総称して演じる側の人と称する。データ記録媒体に記録されているＡＶ情報と生体情報とは、時間的に同期したものとされている。言い換えると、データ記録媒体を再生して視聴する視聴者とは異なる人の生体情報である。
【００２６】
なお、図１に示すもの以外に、メモリカード、有機化合物メモリ、磁気カード等のデータ記録媒体に対してもこの発明を適用することができる。
【００２７】
演じる側の人の生体情報は、体動、生化学反応、脳波、脳磁図、筋電、体表温度、皮膚の発汗、皮膚抵抗、脈、呼吸、マイクロバイブレーション、心電、心拍、血圧の少なくとも一つである。図２は、演じる側の人の例えば呼吸を検出する構成例を示す。呼吸ガスの流速、流量の計測には、気流の通路に気流速計、気流量計を置く方法が知られている。図２の例では、より安価で簡単な計測を可能とするために、胸郭運動を電気的に検出する方法が使用されている。
【００２８】
図２において、参照符号１が呼吸運動に伴う胸部の動きを検出するセンサを示す。例えば呼吸に伴う生体電気インピーダンスの変化から呼吸計測がなされる。この場合、胸部に４個の電極が被着され、外側の一対の電極から電流を通電し、内側の一対の電極から電位を検出するようになされる。他の方法として、呼吸運動に伴う胸部の容積変化を検出するために、胸部にひずみゲージ等のセンサを取付ける方法等も使用できる。
【００２９】
センサ１からは、呼吸運動に応じて振幅が変化する検出信号が発生し、この検出信号がローパスフィルタ２に供給され、ノイズ等の不要な信号成分が除去される。センサ１からの信号は、ケーブルが演じる側の人の動きの邪魔とならないように、ワイヤレスでローパスフィルタ１２に伝送されることが好ましい。ローパスフィルタ２の出力信号がピーク検出回路３およびレベル検出回路４に供給される。ピーク検出回路３では、正側のピーク値と負側がそれぞれ検出される。図１Ｂに示したように、検出信号は、略正弦波であり、その正のピーク値から負のピーク値に至る期間が息を吸う期間（吸期）であり、その負のピーク値から正のピーク値に至る期間が息をはく期間（呼期）である。
【００３０】
ピーク検出回路３からの検出信号がレベル検出回路４に供給される。レベル検出回路４は、ピーク値のタイミングの検出信号のレベルが検出され、検出されたレベルを示す信号が出力端子７ａに取り出される。出力端子７ａから得られる信号は、呼吸の深さを示す信号である。ピーク検出回路３の検出出力が出力端子７ｂに取り出される。例えば正のピーク値のタイミングと、負のピーク値のタイミングとでそれぞれ発生するパルス信号が検出出力として出力端子７ｂに取り出される。出力端子７ｂに得られる検出出力がタイミング信号として使用される。
【００３１】
さらに、ピーク検出回路３の出力信号がタイマー５にスタート信号として供給されると共に、カウンタ６に入力され、カウンタ６の出力がタイマー５にストップ信号として供給される。カウンタ６は、ｎ個のピーク信号をカウントすると、タイマー５に対してストップ信号を出力する。したがって、タイマー５からは、ｎ個のピーク値毎に検出信号が発生する。タイマー５が出力する検出信号が出力端子７ｃに呼吸間隔出力として取り出される。このように、出力端子７ａ、７ｂおよび７ｃから呼吸深さ信号、呼吸タイミング信号および呼吸間隔信号がそれぞれ出力される。
【００３２】
図３は、生体情報として心拍を計測する構成例を示す。例えば首付近に通電電極を被着し、胸部に検出電極を被着し、高周波定電流を通電する。参照符号１１は、検出電極を示し、検出電極１１から検出電流が必要に応じて電圧またはインピーダンス変化の信号に変換され、ローパスフィルタ１２に対して供給される。検出電極１１からの信号は、ワイヤレスでローパスフィルタ１２に伝送されることが好ましい。ローパスフィルタ１２によってノイズ等の不要な成分が除去される。なお、心臓付近に取り付けた圧力センサを使用して胸郭の動きを検出するようにしても良い。
【００３３】
ローパスフィルタ１２の出力信号が微分増幅器１３に供給される。微分増幅器１３によって検出信号を１次微分した信号が得られる。微分信号が最大値検出回路１４およびレベル検出回路１５に供給される。最大値検出回路１４は、最大値のタイミングで発生するパルス信号を発生し、パルス信号がレベル検出回路１５に供給される。レベル検出回路１５は、パルス信号のタイミングの微分信号のレベルを検出して出力端子１８ａに出力する。出力端子１８ａに得られる出力信号が心拍の強さを示す検出信号である。
【００３４】
タイマー１６のスタート信号として最大値検出回路１４の出力が供給される。最大値検出回路１４の出力がカウンタ１７によってカウントされ、ｎ個の最大値が検出された時にカウンタ１７が出力する信号がタイマー１６に対してストップ信号として供給される。タイマー１６の出力信号が出力端子１８ｂに取り出される。出力端子１８ｂに取り出される検出信号は、心拍周期を示す信号である。
【００３５】
他の生体情報例えば血圧は、カフ（腕帯）を使用してカフ圧の変化をセンサで検出することで測定することができる。心電、筋電、脳波等は、体表面電極を使用して生体電気信号を検出することによって計測できる。生体電気は、神経や、筋細胞などの興奮性細胞が発生する膜電位であり、その発生は、細胞膜のイオンに対する透過性の変化に起因している。皮膚の抵抗等のインピーダンスも電気量から測定できる。
【００３６】
生体の電気活動に伴うイオン電流は、体表面に電位を生成すると同時に体表周囲に磁場を誘起する。例えば脳の電気現象に応じて脳磁が発生する。脳磁を高感度の磁束計によって測定することができる。体表温度は、所定の部位に対して温度検出センサを貼り付けることで測定できる。マイクロバイブレーションは、皮膚の表面に生じる微小な振動であり、人間の感情、興奮度等でその振幅等が変化するものである。感圧センサによってマイクロバイブレーションを検出することができる。
【００３７】
さらに他の生体情報例えば脈は、超音波を使用して測定することができる。また、体動を生体情報として使用することができる。測定したい体の１または複数の部位に発光素子（例えば所定の周期で点滅する発光ダイオード）を取り付け、この発光素子を撮影し、２次元の撮影平面上の発光素子の位置を検出することで、体動を計測でき、体動の最大値のタイミングが計測される。この体動の最大値のタイミングと再生のスタートのタイミングとが一致するように、タイミングが制御される。
【００３８】
次に、図４を参照して上述したデータ記録媒体例えば二つのセッションを有する光ディスクＭａを形成するための記録装置について説明する。参照符号２１で示す入力端子に対してＡＶ情報例えばオーディオＰＣＭ信号が供給される。オーディオＰＣＭ信号がエラー訂正エンコーダ２２を介して変調回路２３に供給される。
【００３９】
参照符号３１で示す入力端子に対して演じる側の人の生体情報例えば図２に示すような構成によって得られた呼吸信号が供給される。記録されるオーディオＰＣＭ信号と呼吸信号とが時間的に同期している。オーディオＰＣＭ信号がエラー訂正エンコーダ３２を介して変調回路３３に供給される。エラー訂正エンコーダ２２および３２は、ＣＩＲＣ（Ｃｒｏｓｓ  Ｉｎｔｅｒｌｅａｖｅｄ  Ｒｅｅｄ−Ｓｏｌｏｍｏｎ  Ｃｏｄｅ）のエンコーダある。エンコーダ２２および３２は、エラー訂正用のパリティデータ等を付加するエラー訂正符号化処理やスクランブル処理を行う。すなわち、１サンプルあるいは１ワードの１６ビットが上位８ビットと下位８ビットとに分割されてそれぞれシンボルとされ、このシンボル単位で、例えばＣＩＲＣによるエラー訂正用のパリティデータ等を付加するエラー訂正符号化処理やスクランブル処理が施される。変調回路２３および３３は、ＥＦＭ変調方式（Ｅｉｇｈｔ  ｔｏ  Ｆｏｕｒｔｅｅｎ  Ｍｏｄｕｌａｔｉｏｎ：  ＥＦＭ）の復調を行う。
【００４０】
変調回路２３および３３からは、ＣＤと同一のフォーマットのディジタル信号が得られる。これらの変調回路２３および３３の出力信号が領域制御部２４に供給される。領域制御部２４は、ＣＰＵからなるコントローラ３０によって制御される。また、領域制御部２４において、記録信号から分離されたアドレス情報（Ｑチャンネルのサブコード）がサーボ回路２９に供給される。アドレス情報は、ディスク上の記録位置に対応した絶対アドレスを含んでいる。コントローラ３０は、記録されるアドレスを監視しながら予め設定されているアドレスにおいて変調回路２３の出力信号から変調回路３３の出力信号へ切り換えるように、領域制御部２４を制御する。領域制御部２４の出力信号は、記録信号であり、記録信号が記録回路２５を介して光ピックアップ２６に供給される。
【００４１】
光ピックアップ２６によってＣＤ−Ｒ（Ｒｅｃｏｒｄａｂｌｅ）等の記録可能な光ディスク２７に対してデータが記録される。光ディスク２７は、ターンテーブルに載せられてスピンドルモータ２８によって回転される。スピンドルモータ２８は、サーボ部２９の制御によって一定線速度（ＣＬＶ）で回転駆動をされる。
【００４２】
サーボ部２９は、コントローラ３０からの動作指令に基づき、フォーカス、トラッキング、スレッド、スピンドルの各種サーボドライブ信号を生成し、スピンドルモータ２８および光ピックアップ２６にこれらの信号を出力している。コントローラ３０は、記録装置の全体を制御するためのもので、図示しないが、ディスプレイ、操作スイッチ等がコントローラ３０に対して接続されている。光ピックアップ２６は、光ディスク２７の信号面に半導体レーザの光ビームを集光しつつ、光ディスク２７上に同心円状あるいはスパイラル状に形成されたトラック上にデータを記録する。光ピックアップ２６全体がスレッド機構により移動される。
【００４３】
光ピックアップ２６によってＣＤ−Ｒ（Ｒｅｃｏｒｄａｂｌｅ）等の記録可能な光ディスク２７に対してデータが記録される。光ディスク２７は、ターンテーブルに載せられてスピンドルモータ２８によって回転される。スピンドルモータ２８は、サーボ部２９の制御によって一定線速度（ＣＬＶ）で回転駆動をされる。
【００４４】
光ディスク２７には、図１Ａに示した光ディスクＭａと同様に二つのセッションにそれぞれＰＣＭオーディオ信号と生体情報のデータとが記録される。さらに、光ディスク２７には、ＴＯＣ（Ｔａｂｌｅ  Ｏｆ  Ｃｏｎｔｅｎｔｓ）情報が記録される。ＴＯＣには、従来のＣＤと同様の情報と共に、生体情報が記録されている光ディスクを示す識別情報と、生体情報の記録領域とＡＶ情報の記録領域との境界位置のアドレス情報とが記録される。この光ディスク２７がマスターディスクとして使用され、図５に示すマスタリング装置によってディスクマスターが作成される。マスターディスクの代わりにマスターテープを使用しても良い。
【００４５】
図５に示すように、マスタリング装置は、例えばＡｒイオンレーザ、Ｈｅ−ＣｄレーザやＫｒイオンレーザ等のガスレーザや半導体レーザであるレーザ４１と、このレーザ４１から出射されたレーザ光を変調する音響光学効果型または電気光学型の光変調器４２と、この光変調器４２を通過したレーザ光を集光し、感光物質であるフォトレジストが塗布されたディスク状のガラス原盤４４のフォトレジスト面に照射する対物レンズ等を有する記録手段である光ピックアップ４３を有する。
【００４６】
光変調器４２は、記録信号にしたがって、レーザ４１からのレーザ光を変調する。そして、マスタリング装置は、この変調されたレーザ光をガラス原盤４４に照射することによって、データが記録されたマスタを作成する。また、光ピックアップ４３とガラス原盤４４との距離が一定に保つように制御したり、トラッキングを制御したり、スピンドルモータ４５の回転駆動動作を制御するためのサーボ回路（図示せず）が設けられている。ガラス原盤４４がスピンドルモータ４５によって回転駆動される。
【００４７】
光変調器４２には、マスターリーダ４６からの記録信号が供給される。マスターリーダ４６は、図４を参照して説明した記録装置によって記録信号が記録された光ディスク２７を再生するものである。光変調器４２からの変調されたレーザビームによってガラス原盤４４上のフォトレジストが露光される。このように記録がなされたガラス原盤４４を現像し、電鋳処理することによってメタルマスタを作成し、次に、メタルマスタからマザーディスクが作成され、さらに次に、マザーディスクからスタンパが作成される。スタンパーを使用して、圧縮成形、射出成形等の方法によって、光ディスクが作成される。
【００４８】
図６は、論理的領域分割を行う記録装置に対してこの発明を適用した場合の構成を示す。参照符号５１で示す入力端子に対してＡＶ情報が供給される。ＡＶ情報がファイル化部５２を介してスイッチ５３の一方の入力端子ａに供給される。参照符号５４で示す入力端子に対して入力端子５１に供給されるＡＶ情報と時間的に同期した演じる側の人の生体情報例えば呼吸信号が供給される。生体信号がファイル化部５５を介してスイッチ５３の他方の入力端子ｂに供給される。ファイル化部５２および５５は、入力データを互いに異なるファイルへ変換するものである。
【００４９】
スイッチ５３は、ファイル制御部５６からの制御信号によって制御される。ファイル制御部５６は、ＣＰＵからなるコントローラ５７によって制御される。論理的分割例えば異なるファイルに変換されたＡＶ情報と生体情報とがスイッチ５３によって選択され、出力端子ｃから出力される。
【００５０】
スイッチ５３の出力がエラー訂正エンコーダ５８を介して変調回路５９に供給される。エラー訂正の符号化処理を受け、変調されたデータが記録回路６０に供給される。記録回路６０の出力に得られる記録信号が光ディスク６１ａに対して記録される。この場合、図示しない光ピックアップが使用される。また、光ディスク６１ａ以外にハードディスクドライブ６１ｂまたは光カード６１ｃに対して記録信号を記録する場合も同様の信号処理の構成を使用できる。
【００５１】
次に、図７を参照してこの発明によるデータ再生装置の一実施形態について説明する。上述したように、再生されるデータ記録媒体は、ＡＶ情報と、ＡＶ情報と時間的に同期した、演じる側の人の生体情報がデータ記録媒体上に物理的領域分割または論理的領域分割でもって別々の領域として記録されたものである。図７において、参照符号７１は、例えば図１Ａに示す光ディスク１ａのように、物理的領域分割でもってＰＣＭオーディオデータと生体情報とが記録されている光ディスクを示す。
【００５２】
光ディスク７１は、ターンテーブルに載せられてスピンドルモータ７２によって回転される。スピンドルモータ７２は、サーボ部７３の制御によって一定線速度（ＣＬＶ）で回転駆動をされる。サーボ部７３は、フォーカスエラー信号とトラッキングエラー信号、およびコントローラ７８からの動作指令に基づき、フォーカス、トラッキング、スレッド、スピンドルの各種サーボドライブ信号を生成し、スピンドルモータ７２および光ピックアップ７４にこれらの信号を出力している。コントローラ７８は、再生装置の全体を制御するためのもので、ディスプレイ、操作スイッチ等がコントローラに対して接続されている。光ピックアップ７４は、光ディスク７１の信号面に半導体レーザの光ビームを集光しつつ、光ディスク７１上に同心円状あるいはスパイラル状に形成されたトラックをトレースする。光ピックアップ７４全体がスレッド機構により移動される。
【００５３】
光ピックアップ７４の出力は、ＲＦアンプ７５を介して同期検出器７６に供給され、同期検出器７６の出力がサブコード検出回路７７に供給される。同期検出器７６は、再生信号のＥＦＭフレーム毎のフレーム同期信号を検出する。サブコード検出回路７７は、サブコードのＱチャンネルを検出し、Ｑチャンネル中のアドレス信号を検出する。
【００５４】
ＲＦアンプ７５からのサーボ信号サーボ部７３に供給される。サブコード検出回路７７で検出されたサブコードがサーボ部７３、コントローラ７８および後述する領域制御部８５にそれぞれ供給される。
【００５５】
サブコード検出回路７７の出力信号が例えばＥＦＭの復調器７９およびＴＯＣ（Ｔａｂｌｅ  Ｏｆ  Ｃｏｎｔｅｎｔｓ）読み出し回路８３に供給される。復調器７９の出力がエラー訂正回路８０に供給される。エラー訂正回路８０は、エラーを訂正し、必要に応じて訂正できないエラーを補間する。エラー訂正回路８０からの再生データがスイッチ８１の入力端子に供給される。スイッチ８１は、一方の出力端子８２ａに対して再生されたＡＶ情報としてのＰＣＭオーディオ信号を出力し、出力端子８２ｂに対して再生された生体情報を出力する。
【００５６】
光ディスク７１のリードインエリアに記録されているＴＯＣには、従来のＣＤと同様の情報と共に、光ディスク７１が生体情報が記録されている光ディスクであり、また、生体情報の記録領域とＡＶ情報の記録領域との境界位置のアドレス情報とが記録されている。光ディスク７１を再生装置に挿入すると、読み出し位置がリードインエリアに移動し、最初にＴＯＣが読み出される。ＴＯＣ読み出し回路８３は、従来のＣＤと同様に、読み出したＴＯＣに基づいて、総曲数、総演奏時間の表示等の表示を行う。さらに、生体情報とＡＶ情報とが記録されている光ディスクの場合では、領域情報検出回路８４によって境界のアドレス情報が検出される。
【００５７】
領域情報検出回路８４によって検出された二つの領域の境界のアドレス情報が領域制御回路８５に供給される。領域制御回路８５には、サブコード検出回路７７からの再生アドレスが供給され、また、コントローラ７８と結合されている。領域制御回路８５は、光ディスク７１の再生位置に対応する再生アドレスと、領域情報検出回路８４で検出された境界のアドレス情報とを比較し、両者が一致したタイミングでスイッチ８１を切り換える制御信号を出力する。それによって、光ディスク７１を内周側から再生した場合に、最初にセッションＰ１からＰＣＭオーディオ信号が再生され、出力端子８２ａに対してＰＣＭオーディオ信号が出力され、次にセッションＰ２から生体情報が再生され、出力端子８２ｂに対して生体情報が出力される。
【００５８】
なお、上述した再生装置では、一つの光ピックアップによって順に光ディスク７１上の各セッションのデータを読み取るようにしているが、予め生体情報を読み出しておいて、メモリに格納したり、または二つのピックアップによって、ＡＶ情報と生体情報とを同時に再生する方法を使用しても良い。
【００５９】
出力端子８２ａに取り出された再生ＡＶ情報の映像情報は、ディスプレイ、プロジェクタ等で再生され、オーディオ情報は、スピーカにて再生される。また、出力端子８２ｂに取り出された演じる側の人の生体情報が音、映像および振動の少なくとも一つ以上の変化として再生される。例えば視聴者が視聴時に座る椅子が入力信号に応じて振動を発生する構成とされている場合には、生体情報によって椅子が振動させられる。
【００６０】
さらに、演じる側の人の生体情報によって再生ＡＶ情報が作用を受けるようにしても良い。図８は、再生制御の構成の一例を示す。参照符号９１が再生ＡＶ情報例えばＰＣＭオーディオ信号が入力される入力端子であり、参照符号９２が生体情報例えば呼吸信号の呼吸深さ信号（図２中の出力端子７ａに得られる）の入力端子を示し、参照符号９５が呼吸の間隔信号（図２中の出力端子７ｃに得られる）の入力端子を示す。ＰＣＭオーディオ信号と呼吸深さ信号と呼吸間隔信号とは、時間的なスタート点が一致されている。すなわち、時間的に同期して入力される。
【００６１】
呼吸深さ信号が比較器９３に入力される。比較器９３には、コントローラ９４から基準信号が供給され、呼吸深さ信号が基準信号と比較される。呼吸間隔信号が比較器９６に入力される。比較器９６には、コントローラ９４から基準信号が供給され、呼吸間隔信号が基準信号と比較される。基準信号は、ＲＡＭ９７からなるデータベースに蓄えられており、コントローラ９４がＲＡＭ９７から選択的に基準信号を読み出して比較器９３に供給する。比較器９６に供給される基準信号もＲＡＭ９７からコントローラ９４によって読み出されたものである。
【００６２】
基準信号の一例は、予めＲＡＭ９７に蓄積されている演じる人に関する標準的なデータである。音楽の場合であれば、指揮者、歌手（男性／女性）、音楽のジャンル等に応じた複数の標準的なデータが予めＲＡＭ９７に蓄積されている。視聴者のスイッチ操作、またはＴＯＣに記録されている識別情報に応じて自動的に標準的データの適切なものが選択される。
【００６３】
比較器９３は、演じる人の呼吸深さ信号が標準的なデータに対して大きいか、小さいか判断して２値の比較出力を発生する。同様に、比較器９６は、演じる人の呼吸間隔信号が標準的なデータに対して大きいか、小さいか判断して２値の比較出力を発生する。比較器の代わりに割り算回路を設け、呼吸情報の信号を基準信号によって正規化するようにしても良い。この場合には、２値化出力の代わりに正規化出力が発生する。
【００６４】
入力端子９１からのＰＣＭオーディオ信号がレベル調整回路９８に供給される。レベル調整回路９８は、比較器９３からの比較出力に基づいてＰＣＭオーディオ信号のレベルを制御する。例えば呼吸が深くなったことを呼吸深さ信号が示している時には、ＰＣＭオーディオ信号のレベルを大きくする。レベル調整回路９８の出力信号がテンポ調整回路９９に供給される。
【００６５】
テンポ調整回路９９は、比較器９６からの比較出力に基づいてＰＣＭオーディオ信号のテンポを制御する。例えば呼吸間隔信号とテンポとを同期させ、呼吸間隔が短くなると、テンポを速める。テンポ調整回路９９の出力信号がイフェクタ１００に供給される。
【００６６】
イフェクタ１００は、比較器９３および９６の出力信号によって制御され、呼吸深さおよび呼吸間隔によってＰＣＭオーディオ信号の周波数を成分を制御する。イフェクタ１００の出力信号がゆらぎ付加回路１０１に供給される。
【００６７】
ゆらぎ付加回路１０１は、比較器９３および９６の出力信号によって制御され、呼吸深さおよび呼吸間隔のそれぞれのレベルゆらぎおよび間隔ゆらぎが検出される。検出された各ゆらぎに応じてゆらぎが付加される。ゆらぎは、１／ｆｎ  ゆらぎ（ｎは０より大きい実数）である。レベルゆらぎに応じてＰＣＭオーディオ信号のレベルが制御され、間隔ゆらぎに応じてＰＣＭオーディオ信号のテンポが制御される。ゆらぎ付加回路１０１から出力信号が取り出される。なお、図８の構成は、一例であって、図示される生体情報による制御を全て行う必要はない。
【００６８】
次に、この発明の他の実施形態について説明する。他の実施形態では、ＡＶ情報を記録／伝送する場合に、ＡＶ情報がフレーム化、ブロック化、またはパケット化される。これらの伝送単位に生体情報が含まれるようにしている。
【００６９】
図９Ａは、フレームの構成に対してこの発明を適用したものである。１フレーム内にＡＶデータと共に生体データが含まれる。図９Ｂは、ブロックの構成に対してこの発明を適用したものである。１ブロックに複数のフレームが含まれており、映像データのフレーム（Ｖと表記する）とオーディオデータのフレーム（Ａと表記する）とが時分割多重され、例えば５個の映像データフレームと、２個のオーディオデータフレームと、１個の生体情報のフレームとによって１ブロックが構成されている。なお、フレーム化およびブロック化の代わりにパケット化を行うようにしても良い。
【００７０】
図１０は、他の実施形態における記録装置の構成を示す。参照符号１１１ａがＡＶ情報の入力端子を示し、１１１ｂがＡＶ情報と時間的に同期した、演じる側の人の生体情報の入力端子を示す。入力ＡＶデータおよび生体データがバッファメモリとしてのＲＡＭ１１２ａおよび１１２ｂにそれぞれ蓄積される。ＲＡＭ１１２ａおよび１１２ｂに対して区分抜取回路１１３ａおよび１１３ｂがそれぞれ接続される。
【００７１】
区分抜取回路１１３ａは、データを区分化する単位例えばフレームに応じたデータ量のＡＶデータを抜き取るものである。区分抜取回路１１３ｂは、データを区分化する単位例えばフレームに応じたデータ量の生体データを抜き取るものである。区分抜取回路１１３ａおよび１１３ｂのそれぞれの出力データがミックス回路１１４に供給され、図９Ａに示すように、ＡＶデータと生体データとが１フレームにまとめられたデータがミックス回路１１４から出力される。
【００７２】
ミックス回路１１４の出力信号がエラー訂正エンコーダ１１５を介して変調回路１１６に供給される。エラー訂正の符号化処理を受け、変調されたデータが記録回路１１７に供給される。記録回路１１７の出力に得られる記録信号が光ディスク１１８ａに対して記録される。この場合、図示しない光ピックアップが使用される。また、光ディスク１１８ａ以外にハードディスクドライブ１１８ｂまたは光カード１１８ｃに対して記録信号を記録する場合も同様の信号処理の構成を使用できる。
【００７３】
次に、図１１を参照して、図１０に示すデータ記録装置によって記録されたデータ記録媒体を再生するデータ再生装置について説明する。上述したように、再生されるデータ記録媒体は、ＡＶ情報と、ＡＶ情報と時間的に同期した、演じる側の人の生体情報がＡＶ情報と共に、所定区分に区分化されて記録されたものである。図１１において、参照符号１２１は、図１０に示す記録装置でＡＶ情報と生体情報とが図９Ａまたは図９Ｂに示すように区分化されて記録されている光ディスクを示す。
【００７４】
光ディスク１２１は、ターンテーブルに載せられてスピンドルモータ１２２によって回転される。スピンドルモータ１２２は、サーボ部１２３の制御によって一定線速度（ＣＬＶ）で回転駆動をされる。サーボ部１２３は、フォーカスエラー信号とトラッキングエラー信号、およびコントローラ（図示しない）からの動作指令に基づき、フォーカス、トラッキング、スレッド、スピンドルの各種サーボドライブ信号を生成し、スピンドルモータ１２２および光ピックアップ１２４にこれらの信号を出力している。光ピックアップ１２４は、光ディスク１２１の信号面に半導体レーザの光ビームを集光しつつ、光ディスク１２１上に同心円状あるいはスパイラル状に形成されたトラックをトレースする。光ピックアップ１２４全体がスレッド機構により移動される。
【００７５】
光ピックアップ１２４の出力は、ＲＦアンプ１２５を介して同期検出器１２６に供給され、同期検出器１２６の出力がアドレス検出回路１２７に供給される。同期検出器１２６は、再生信号のフレーム同期信号等の同期信号を検出する。アドレス検出回路１２７は、光ディスク１２１のアドレス信号を検出する。ＲＦアンプ１２５からのサーボ信号サーボ部１２３に供給される。アドレス検出回路１２７で検出されたアドレス信号がサーボ部１２３、コントローラ（図示しない）にそれぞれ供給される。
【００７６】
アドレス検出回路１２７の出力信号が復調器１２８に供給され、復調器１２８の出力がエラー訂正回路１２９に供給される。エラー訂正回路１２９は、エラーを訂正し、必要に応じて訂正できないエラーを補間する。エラー訂正回路１２９からの再生データがフレーム分解回路１３０に供給される。フレーム分解回路１３０は、１フレームに含まれるＡＶ情報と生体情報とを分離し、出力端子１３１および１３２にそれぞれ出力する。パケットまたはブロックの場合には、パケットまたはブロックが分解され、ＡＶ情報と生体情報が出力端子１３１および１３２にそれぞれ出力される。
【００７７】
上述した一実施形態と同様に、出力端子１３２に取り出された演じる側の人の生体情報が音、映像および振動の少なくとも一つ以上の変化として再生される。例えば視聴者が視聴時に座る椅子が入力信号に応じて振動を発生する構成とされている場合には、生体情報によって椅子が振動させられる。さらに、図８を参照して説明したように、演じる側の人の生体情報によって再生ＡＶ情報を制御するようにしても良い。
【００７８】
図１２は、他の実施形態におけるデータ送信装置の構成を示す。参照符号１４１ａがＡＶ情報の入力端子を示し、１４１ｂがＡＶ情報と時間的に同期した、演じる側の人の生体情報の入力端子を示す。入力ＡＶデータおよび生体データがバッファメモリとしてのＲＡＭ１４２ａおよび１４２ｂにそれぞれ蓄積される。ＲＡＭ１４２ａおよび１４２ｂに対して区分抜取回路１４３ａおよび１４３ｂがそれぞれ接続される。
【００７９】
区分抜取回路１４３ａは、データを区分化する単位例えばパケットに応じたデータ量のＡＶデータを抜き取るものである。区分抜取回路１４３ｂは、データを区分化する単位例えばパケットに応じたデータ量の生体データを抜き取るものである。区分抜取回路１４３ａおよび１４３ｂのそれぞれの出力データがマルチプレクサ１４４に供給され、図９Ｂに示すように、ＡＶデータと生体データとが１フレームにまとめられたデータがマルチプレクサ１４４から出力される。
【００８０】
マルチプレクサ１４４の出力信号がデータ送信回路１４５に供給される。データ送信回路１４５では、エラー訂正の符号化処理、変調処理等がなされ、データ送信回路１４５の出力に得られる伝送信号が送信アンテナ１４６ａに供給され、電波として送出される。またはネットワーク１４６ｂに送出される。
【００８１】
次に、図１３を参照して、図１２に示すデータ送信装置によって送信されたデータを受信するデータ受信装置について説明する。上述したように、受信されるデータは、ＡＶ情報と、ＡＶ情報と時間的に同期した、演じる側の人の生体情報がＡＶ情報と共に、所定区分に区分化されて記録されたものである。図１３において、参照符号１５０ａは、図１０に示す送信装置でＡＶ情報と生体情報とが図９Ａまたは図９Ｂに示すように区分化されて送信されるデータを受信する受信アンテナを示す。参照符号１５０ｂは、図１０に示す送信装置からのデータを受け取るネットワークを示す。
【００８２】
受信アンテナ１５０ａまたはネットワーク１５０ｂを介して受信された受信データが入力端子１５１からデータ受信回路１５２に供給される。データ受信回路１５２において、復調処理、エラー訂正処理等がなされ、ＡＶ情報のパケットと生体情報のパケットとが時分割多重化された受信データが得られる。
【００８３】
受信データがパケット分離回路１５３に供給され、データパケットが分離される。分離されたデータパケットがパケット分解回路１５４に供給され、パケット分解回路１５４にてＡＶ情報のパケットと生体情報のパケットとが分離される。一方の出力端子１５５にＡＶ情報が出力され、他方の出力端子１５６に生体情報が出力される。受信ＡＶ情報は、例えばパーソナルコンピュータによってストリーミング再生される。
【００８４】
上述した一実施形態と同様に、演じる側の人の生体情報が音、映像および振動の少なくとも一つ以上の変化として再生される。さらに、図８を参照して説明したように、演じる側の人の生体情報によって再生ＡＶ情報を制御するようにしても良い。
【００８５】
この発明は、上述したこの発明の一実施形態に限定されるものでは無く、この発明の要旨を逸脱しない範囲内で様々な変形や応用が可能である。例えば演じる側の人の生体情報によって照明の明るさを変化させたり、超低音のレベル、テンポ等を制御したりしても良い。また、舞台または映画の主役の人、またはパントマイムを演ずる人の生体情報を検出して映像と共に記録／伝送するようにしても良い。
【００８６】
【発明の効果】
以上の説明から明らかなように、この発明によれば、オーディオ情報および映像情報の少なくとも一方のデータと、演奏者、演技者、観客の生体情報とを記録または送信し、再生または受信したデータを再生する時に、生体情報を振動等として再生したり、生体情報でＡＶ情報の再生を制御することによって、視聴者に対して生の迫力を伝えることができ、オーディオ情報および映像情報の少なくとも一方のデータの再生を臨場感に富んだものとできる。
【図面の簡単な説明】
【図１】この発明の一実施形態によるデータ記録媒体のいくつかの例を説明するための略線図である。
【図２】生体信号としての呼吸信号を検出するための構成を示すブロック図である。
【図３】生体信号としての心拍信号を検出するための構成を示すブロック図である。
【図４】物理的領域分割を使用するこの発明によるデータ記録装置の一例の構成を示すブロック図である。
【図５】記録装置の一例の説明に使用するブロック図である。
【図６】物理的領域分割を使用するこの発明によるデータ記録装置の一例の構成を示すブロック図である。
【図７】この発明による再生装置の一例の構成を示すブロック図である。
【図８】再生された生体情報に基づいた再生制御装置の一例の構成を示すブロック図である。
【図９】この発明の他の実施形態の説明に用いるデータ構成の一例の構成を示す略線図である。
【図１０】この発明の他の実施形態におけるデータ記録装置の一例の構成を示すブロック図である。
【図１１】この発明の他の実施形態におけるデータ再生装置の一例の構成を示すブロック図である。
【図１２】この発明の他の実施形態におけるデータ送信装置の一例の構成を示すブロック図である。
【図１３】この発明の他の実施形態におけるデータ受信装置の一例の構成を示すブロック図である。
【符号の説明】
Ｍａ〜Ｍｆ・・・ＡＶ情報と生体情報とが異なる領域または異なるファイルとして記録されたデータ記録媒体、２１・・・ＡＶ信号の入力端子、２４・・・領域制御部、３１・・・生体信号の入力端子、４６・・・マスターリーダ、７７・・・サブコード検出回路、８３・・・ＴＯＣ読み出し回路、８５・・・領域制御回路、９８・・・レベル調整回路、９９・・・テンポ調整回路、１００・・・イフェクタ、１０１・・・ゆらぎ付加回路、１１３ａ，１１３ｂ・・・区分抜取回路、１１７・・・記録回路、１２９・・・フレーム分解回路、１４３ａ，１４３ｂ・・・区分抜取回路、１４４・・・マルチプレクサ、１４５・・・データ送信回路、１５２・・・データ受信回路、１５４・・・パケット分解回路
【図１】
2004227638.tif 000003
【図２】
2004227638.tif 000004
【図３】
2004227638.tif 000005
【図４】
2004227638.tif 000006
【図５】
2004227638.tif 000007
【図６】
2004227638.tif 000008
【図７】
2004227638.tif 000009
【図８】
2004227638.tif 000010
【図９】
2004227638.tif 000011
【図１０】
2004227638.tif 000012
【図１１】
2004227638.tif 000013
【図１２】
2004227638.tif 000014
【図１３】
2004227638.tif 000015